(57)【要約】      （修正有）【課題】１ポケット仕様と２ポケット仕様の仕様変更を低コストで容易に行うことを可能にすること。【解決手段】小切手収納部１０に形成した広幅の溝状の収納凹部３０を仕切り部材１５によって２つに仕切って第１および第２収納ポケット１３、１４を形成することにより、２ポケット仕様の小切手処理装置１を形成する。仕切り部材１５を収納凹部３０の底面に形成した装着部に着脱可能とし、仕切り部材１５の代わりにポケットカバーを装着可能にすることにより、小切手処理装置１を、第１収納ポケット１３および第１分岐通路１１を除いた部分を全て閉鎖した１ポケット仕様に仕様変更する。【選択図】図１
2010222124.tif 000002
【特許請求の範囲】
【請求項１】
搬送路から送り込まれるシート状媒体を収納するための収納凹部と、
当該収納凹部を前記搬送路に連通する２つの収納ポケットに仕切る第１部材、および、前記収納凹部内の所定部分を塞いで前記収納凹部よりも狭い単一の収納ポケットを形成する第２部材のいずれか一方と、
前記第１部材と前記第２部材のうちのいずれか一方を選択的に装着可能な装着部と、を有することを特徴とするシート状媒体収納装置。
【請求項２】
請求項１に記載のシート状媒体収納装置において、
前記収納凹部は所定幅の溝部であり、当該溝部の一端に前記搬送路の下流端が接続しており、
前記第１部材は、前記溝部を幅方向に２つに仕切る状態に装着されることにより、当該幅方向に並ぶ前記２つの収納ポケットを形成すると共に、前記搬送路の下流端と対峙している前端部分により、当該下流端から前記２つの収納ポケットに向かって分岐する２つの分岐通路を形成し、
前記第２部材は、前記第１部材により形成される前記２つの収納ポケットの一方と、当該一方の収納ポケットに向かっている側の前記分岐通路と、を除いて前記収納凹部内を塞ぐ状態に装着されることを特徴とするシート状媒体収納装置。
【請求項３】
請求項２に記載のシート状媒体収納装置において、
前記第２部材は、前記搬送路の下流端を規定している一対の側壁の一方から、前記一方の収納ポケットに向かう分岐通路の分岐方向に延びているガイド面を備え、
当該ガイド面における前記一方の側壁側の前端部分には、前記分岐通路の下流側に向かうにつれて上方に傾斜しているすくい面が形成されていることを特徴とするシート状媒体収納装置。
【請求項４】
請求項２または３に記載のシート状媒体収納装置において、
前記第１部材は、前記分岐通路の分岐位置を頂点として各分岐通路の分岐方向に延びている２つの分岐ガイド面と、当該２つの分岐ガイド面の上端を繋ぐ分岐部上面を備え、
当該分岐部上面における前記分岐位置側の前端部分は、各分岐通路の下流側に向かうにつれて上方に傾斜していると共に、各分岐方向に直交する方向の断面形状が凸円弧形状となっていることを特徴とするシート状媒体収納装置。
【請求項５】
請求項１ないし４のいずれかの項に記載のシート状媒体収納装置において、
前記装着部は、前記収納凹部の底面における前記２つの収納ポケットの仕切り位置に設けられ、
前記第１部材および前記第２部材は、前記装着部への装着状態において前記装着部に形成された係止部に係止される共通形状の被係止部を備えていることを特徴とするシート状媒体収納装置。
【請求項６】
請求項５に記載のシート状媒体収納装置において、
前記係止部は、前記装着部に形成された係止孔あるいは係止凹部であり、
前記被係止部は、前記係止孔あるいは係止凹部に先端部分が係止される係止爪であることを特徴とするシート状媒体収納装置。
【請求項７】
請求項１ないし６のいずれかの項に記載のシート状媒体収納装置と、
当該シート状媒体収納装置にシート状媒体を送り込む搬送路と、を有することを特徴とするシート状媒体処理装置。
【発明の詳細な説明】
【技術分野】
【０００１】
本発明は、小切手処理装置などのシート状媒体処理装置に用いられるシート状媒体収納装置に関し、特に、シート状媒体の収納ポケット数を用途に応じて変更可能なシート状媒体収納装置に関する。
【背景技術】
【０００２】
銀行などの金融機関においては、持ち込まれた小切手、手形などの小切手類（有価証券類）を小切手処理装置に掛けて、それらの表面画像および磁気インク文字を読み取り、読み取った小切手を収納ポケットに送り込んで収納している。このとき、持ち込まれた小切手の中に磁気インク文字を読み取ることができないものが含まれている場合があるので、読取結果に応じて小切手類の仕分けを行い、異なる収納ポケットに振り分けて収納している。特許文献１には、このような小切手処理装置が開示されている。
【０００３】
特許文献１の小切手処理装置では、細い縦溝によって規定されている搬送路を、小切手が立てられた状態で搬送されながら読み取りなどの処理が行われる。搬送路の下流側には２つに分岐する分岐通路が形成されており、各分岐通路の下流側にそれぞれ収納ポケットが形成されている。各収納ポケットは全体として前後方向に長い長方形をしており、前端側から送り込まれた小切手を、各収納ポケットの幅方向に積層した状態に収納する。
【先行技術文献】
【特許文献】
【０００４】
【特許文献１】特開２００９−０２３７５８号公報
【発明の概要】
【発明が解決しようとする課題】
【０００５】
小切手処理装置で小切手類を読み取って処理する場合、ユーザーの用途によっては、処理済みの小切手を２つのポケットに振り分ける必要がなく、全ての小切手を同じポケットに送り込むことで足りる場合がある。このような場合、特許文献１のような２ポケット仕様の小切手処理装置をそのまま用いると、小切手を２つの分岐通路に振り分ける切替板やその軸、切替板を駆動するモータなどの各部品が全く使われずに無駄に設置されているだけの状態となる。また、使用していない収納ポケットへの送り込み口に設けられた送り込みローラーや使用していない収納ポケット内で小切手を押える押さえ板などの各部品についても、全く使われずに無駄に設置されているだけの部品となってしまう。
【０００６】
そこで、処理後に小切手の振り分けを行わない場合には、小切手処理装置を１ポケット仕様に仕様変更できるようにして、１ポケット仕様で使用するときには無駄な部品を削除できるようにすれば、無駄な部品の数を減らして部品点数の削減およびコスト削減を図ることができる。例えば、特許文献１の小切手処理装置では、２つの収納ポケット分の凹部が形成された上ケースによって小切手収納部の上部が形成されており、この凹部を仕切り部材で仕切って２つの収納ポケットに分割しているので、１ポケット分の大きさの凹部を有する上ケースを用いるようにすれば、１ポケット仕様への仕様変更が可能である。
【０００７】
しかしながら、このように、小切手収納部の上部全体を覆う上ケースの形状を１ポケット仕様と２ポケット仕様で異ならせると、２つの仕様に対応するために上ケース製造用の金型が２種類必要になり、仕様変更を可能にするための初期投資費用が大きくなってコストが増大するという問題点があった。また、上ケースを１ポケット形状のものに交換するときには、２ポケット仕様のときに使用していた上ケースだけでなく仕切り部材も不要となる。よって、仕様変更時に上ケースだけでなく仕切り部材の着脱を行う必要があり、仕様変更に手間がかかるという問題点があった。
【０００８】
本発明の課題は、このような点に鑑みて、１ポケット仕様と２ポケット仕様の仕様変更を低コストで容易に行うことが可能で、１ポケット仕様のときには無駄な部品を削除して部品点数の削減およびコスト削減を図ることが可能なシート状媒体収納装置およびシート状媒体処理装置を提案することにある。
【課題を解決するための手段】
【０００９】
上記の課題を解決するために、本発明のシート状媒体収納装置は、
搬送路から送り込まれるシート状媒体を収納するための収納凹部と、
当該収納凹部を前記搬送路に連通する２つの収納ポケットに仕切る第１部材、および、前記収納凹部内の所定部分を塞いで前記収納凹部よりも狭い単一の収納ポケットを形成する第２部材のいずれか一方と、
前記第１部材と前記第２部材のうちのいずれか一方を選択的に装着可能な装着部と、を有することを特徴としている。
【００１０】
本発明では、このように、シート状媒体を収納するための収納凹部に第１部材と第２部材のうちいずれか一方を選択的に装着して、２つの収納ポケットを形成した状態と単一の収納ポケットを形成した状態の各状態を選択的に実現でき、２ポケット仕様と１ポケット仕様への仕様変更が可能となっている。このようにすれば、仕様変更のために収納凹部自体の形状を変更する必要がないので、収納凹部が形成されている上ケースを２種類準備するために２種類の金型を準備する必要がない。よって、初期投資費用の削減によるコスト削減を図ることができる。また、１ポケット仕様にするときには、閉鎖するポケット側に設置されていた送り込みローラーや押さえ板を省略することができるので、部品点数の削減およびコスト削減、組み立て工数の削減などを図ることができる。更に、仕様変更を第１部材あるいは第２部材の着脱のみによって行うことができ、収納凹部が形成された上ケースを着脱する必要がないので、仕様変更作業が容易である。
【００１１】
本発明において、前記収納凹部は所定幅の溝部であり、当該溝部の一端に前記搬送路の下流端が接続しており、前記第１部材は、前記溝部を幅方向に２つに仕切る状態に装着されることにより、当該幅方向に並ぶ前記２つの収納ポケットを形成すると共に、前記搬送路の下流端と対峙している前端部分により、当該下流端から前記２つの収納ポケットに向かって分岐する２つの分岐通路を形成し、前記第２部材は、前記第１部材により形成される前記２つの収納ポケットの一方と、当該一方の収納ポケットに向かっている側の前記分岐通路と、を除いて前記収納凹部内を塞ぐ状態に装着される構成とすることができる。このようにすれば、第１部材によって左右に並ぶ２つの収納ポケットと、搬送路の下流端から各収納ポケットに至る分岐通路を形成できる。また、第２部材によって一方の収納ポケットのみを閉鎖した１ポケット仕様を形成できる。
【００１２】
ここで、前記第２部材を、前記搬送路の下流端を規定している一対の側壁の一方から、前記一方の収納ポケットに向かう分岐通路の分岐方向に延びているガイド面を備え、当該ガイド面における前記一方の側壁側の前端部分には、前記分岐通路の下流側に向かうにつれて上方に傾斜しているすくい面が形成されている形状とすることができる。このようにすれば、搬送路の下流端から送り込まれたシート状媒体の上端が横向きに倒れた場合にすくい面によってすくい上げて分岐通路側にガイドすることができるので、搬送路の下流端から分岐通路への送り込み位置でシート状媒体がジャミング状態に陥るのを抑制できる。
【００１３】
また、前記第１部材を、前記分岐通路の分岐位置を頂点として各分岐通路の分岐方向に延びている２つの分岐ガイド面と、当該２つの分岐ガイド面の上端を繋ぐ分岐部上面を備え、当該分岐部上面における前記分岐位置側の前端部分は、各分岐通路の下流側に向かうにつれて上方に傾斜していると共に、各分岐方向に直交する方向の断面形状が凸円弧形状となっている形状にすることができる。このようにすれば、分岐位置に送り込まれたシート状媒体の上端を第１部材の前端部分に衝突させないようにすることができ、シート状媒体の上端が横向きに倒れているときには分岐部上面に沿って持ち上げて各分岐通路側にガイドすることができる。よって、搬送路の下流端から各分岐通路への送り込み位置でシート状媒体がジャミング状態に陥るのを抑制できる。
【００１４】
ここで、前記装着部は、前記収納凹部の底面における前記２つの収納ポケットの仕切り位置に設けられ、前記第１部材および前記第２部材は、前記装着部への装着状態において前記装着部に形成された係止部に係止される共通形状の被係止部を備えた構成にすることが望ましい。このとき、前記係止部を、前記装着部に形成された係止孔あるいは係止凹部とし、前記被係止部を、前記係止孔あるいは係止凹部に先端部分が係止される係止爪とすることができる。このように、第１部材および第２部材を共通の係止構造によって装着することができるようにすれば、装着部を簡素な構成にすることができる。また、仕様変更を容易に行うことができる。
【００１５】
次に、本発明のシート状媒体処理装置は、上記のシート状媒体収納装置と、当該シート状媒体収納装置にシート状媒体を送り込む搬送路と、を有することを特徴としている。
【発明の効果】
【００１６】
本発明によれば、シート状媒体を収納するための収納凹部に第１部材と第２部材のうちいずれか一方を選択的に装着して、２つの収納ポケットを形成した状態と単一の収納ポケットを形成した状態の各状態を選択的に実現でき、仕様変更のために収納凹部自体の形状を変更する必要がない。よって、収納凹部が形成されている上ケースを２種類準備するために２種類の金型を準備する必要がなく、初期投資費用の削減によるコスト削減を図ることができる。また、１ポケット仕様にするときには、閉鎖するポケット側に設置されていた送り込みローラーや押さえ板を省略することができるので、部品点数の削減およびコスト削減、組み立て工数の削減などを図ることができる。更に、仕様変更を第１部材あるいは第２部材の着脱のみによって行うことができ、収納凹部が形成された上ケースを着脱する必要がないので、仕様変更作業が容易である。
【図面の簡単な説明】
【００１７】
【図１】本実施形態の小切手処理装置（２ポケット仕様）の斜視図である。
【図２】仕切り部材を収納凹部から取り外した状態の小切手処理装置の斜視図である。
【図３】仕切り部材の斜視図である。
【図４】ポケットカバーの斜視図である。
【図５】小切手処理装置（１ポケット仕様）の斜視図である。
【発明を実施するための形態】
【００１８】
以下に、図面を参照して、本発明を適用した小切手処理装置（シート状媒体処理装置）の実施の形態を説明する。
【００１９】
（全体構成）
図１は本実施形態の小切手処理装置（２ポケット仕様）の斜視図である。小切手処理装置１は、本体ケース２と、本体ケース２の先端部に取り付けた垂直軸３を中心として左右に開閉可能な開閉カバー４、５とを備えている。本体ケース２は、下ケース２ａと上ケース２ｂからなり、上ケース２ｂは、中央仕切りケース部分２ｃと、左右の側ケース部分２ｄ、２ｅを備えている。本体ケース２と開閉カバー４、５の間には、小切手６を搬送するための小切手搬送路７が形成されている。小切手搬送路７は、上から見た場合に略Ｕ字状に湾曲して延びている細幅の垂直溝によって規定されている。小切手搬送路７の小切手搬送方向の上流端は、細幅の垂直溝からなる小切手送り出し通路８を介してやや広幅の垂直溝からなる小切手供給部９に繋がっている。これらの小切手送り出し通路８および小切手供給部９は、中央仕切りケース部分２ｃと側ケース部分２ｅの間に形成されている。
【００２０】
小切手搬送路７の下流端は小切手収納部１０（シート状媒体収納装置）に繋がっている。小切手収納部１０は、小切手搬送路７の下流端に繋がっている細幅の垂直溝からなる第１分岐通路１１および第２分岐通路１２と、これらの下流端に繋がっている第１収納ポケット１３および第２収納ポケット１４とを備えている。第１および第２分岐通路１１、１２と第１および第２収納ポケット１３、１４は、中央仕切りケース部分２ｃと側ケース部分２ｄの間に形成されている。
【００２１】
小切手６（シート状媒体）は、その表面６ａの下端部分に磁気インク文字列６Ａが印刷されている。また、表面６ａには、所定の模様の背景に、金額、振出人、番号、サインなどが記載されており、裏面６ｂには裏書き欄などが設けられている。小切手６は、上下方向を揃え、表面６ａがＵ形状の小切手搬送路７の外側を向くように、小切手供給部９に挿入される。
【００２２】
小切手搬送路７には、図１において点線で示すように、小切手６の表面画像を読み取るための表面側コンタクトイメージスキャナー２１、その裏面画像を読み取るための裏面側コンタクトイメージスキャナー２２、その磁気インク文字を読み取るための磁気ヘッド２３、その表面に「電子決済済み」などの印刷を行う印刷機構２４がこの順序に配置されている。
【００２３】
小切手供給部９から小切手送り出し通路８を介して送り出された小切手６は、小切手搬送路７に沿って搬送されながら、その表面画像および裏面画像が読み取られ、しかる後に、その表面６ａに印刷されている磁気インク文字列６Ａが読み取られる。これらの情報が正常に読み取られた小切手６は、「電子決済済み」などの印刷が行われた後に、第１収納ポケット１３に振り分けられて、そこに収納される。一方、読取不能、読取異常などが発生した小切手６については、そのような印刷が行われることなく、第２収納ポケット１４に振り分けられて、そこに収納される。
【００２４】
（小切手収納部および仕切り部材）
小切手収納部１０は、中央仕切りケース部分２ｃとその左側の側ケース部分２ｄとの間に形成された広幅の溝状の収納凹部３０を備えている。また、小切手収納部１０は、この収納凹部３０を左右の第１および第２収納ポケット１３、１４に仕切っている仕切り部材１５（第１部材）を備えている。
【００２５】
収納凹部３０における第１収納ポケット１３の左端は側ケース部分２ｄの内側側面３１によって規定されており、その前端は、内側側面３１と直交する方向に延びている側ケース部分２ｅの前側側面３３によって規定されている。この前側側面３３の右端には、小切手搬送路７に向かって内側側面３１と平行に延びている側面３４が接続している。一方、第２収納ポケット１４の右端は、中央仕切りケース部分２ｃの左側側面３２によって規定されており、この左側側面３２の前端部分には、収納凹部３０の幅方向外側に向かって斜めに延びてから円弧状に湾曲したのち幅方向内側に向かって斜めに延びる屈曲側面３２ａが設けられている。側面３４の前端および屈曲側面３２ａの前端に、小切手搬送路７の下流端が接続している。
【００２６】
収納凹部３０の後端部分は、中央仕切りケース部分２ｃおよび側ケース部分２ｄの後方に引き出し可能に取り付けた引き出し部１９によって規定されている。この引き出し部１９を後方に引き出すと、第１および第２収納ポケット１３、１４が前後方向に延びて長い寸法の小切手６を収納可能になる。
【００２７】
仕切り部材１５は、収納凹部３０の底部に設けられた装着部４０（図２参照）に着脱可能に構成されている。小切手搬送路７の下流端には、この仕切り部材１５の前端部分１５ａによって、第１および第２分岐通路１１、１２への分岐部１８が形成されている。仕切り部材１５の前端部分１５ａの平面形状は第１および第２分岐通路１１、１２への分岐位置Ａを頂点とする略三角形であり、この前端部分１５ａは、分岐位置Ａを頂点として左右の分岐方向に広がっている左右の分岐部側ガイド面１８ａ、１８ｂと、分岐位置Ａを頂点とする略三角形の底辺を規定している後端面１８ｃを備えている。
【００２８】
分岐部側ガイド面１８ａと側面３４によって規定されている第１分岐通路１１は小切手搬送路７の上流側から直線的に連続するようになっており、分岐部側ガイド面１８ｂと屈曲側面３２ａによって規定されている第２分岐通路１２は第１分岐通路１１と９０度未満の角度で分岐するようになっている。また、後端面１８ｃによって、第２収納ポケット１４の前端が規定されている。
【００２９】
図２は仕切り部材１５を収納凹部３０から取り外した状態の小切手処理装置の斜視図である。なお分岐位置Ａには、そこに送り込まれた小切手６を第１および第２分岐通路１１、１２のいずれか一方に振り分けるための切換レバー１７が配置されている。図２に示す状態では、切換レバー１７は第２分岐通路１２の上流端を封鎖しているので、小切手搬送路７の上流側から分岐位置Ａに送り込まれた小切手６は、切換レバー１７の一方の側面によって案内されて第１分岐通路１１へ進入する。
【００３０】
切換レバー１７は、分岐位置Ａの下方に配置されている切り換え機構１７ａによって、図２の第２分岐通路１２の上流端を封鎖する位置と、第１分岐通路１１の上流端を封鎖する位置の間で移動する。切換レバー１７が第２分岐通路１２の上流端を封鎖する位置にあるときは、分岐位置Ａに送り込まれた小切手６は、切換レバー１７のもう一方の側面によって案内されて、第２分岐通路１２へ進入させられる。
【００３１】
図３は収納凹部３０から取り外した仕切り部材１５の斜視図である。仕切り部材１５の前端部分１５ａは、分岐位置Ａに面している頂点部分の上面である分岐部上面１８ｄが、分岐位置Ａから各分岐方向に向かうにつれて上側に傾斜しており、且つ、分岐方向に直交する方向の断面形状が、凸円弧状となるように形成されている。分岐部上面１８ｄが平坦な水平面となっている場合には、上側が折れ曲がっていたり撓んでいたりする小切手６が第１あるいは第２分岐通路１１、１２へ進入しようとしたときに、この折れ曲がり部分や撓み部分が仕切り部材１５の先端に衝突してしまう。これに対し、分岐部上面１８ｄが本実施形態のように凸円弧状断面の上向き傾斜面となっている場合には、小切手６の折れ曲がり部分や撓み部分が分岐部上面１８ｄを乗り越えるように案内される。よって、小切手６が第１分岐通路１１に進入する際に、仕切り部材１５の先端に衝突してジャミング状態に陥ることを回避できる。
【００３２】
また、仕切り部材１５には、第１および第２分岐通路１１、１２の上端開口部よりも上方に突出している仕切り板１６が取り付けられている。仕切り板１６は、仕切り部材１５の側面に形成されている凹部に嵌め込まれる垂直な嵌め込み板部分１６ａと、嵌め込み板部分１６ａの上部に設けられた垂直な略三角形の突出板部分１６ｂと、突出板部分１６ｂの側面から第１収納ポケット１３側に水平に延びる略三角形の水平板部分１６ｃを備えている。突出板部分１６ｂおよび水平板部分１６ｃは、第１および第２分岐通路１１、１２から第１、第２収納ポケット１３、１４に送り込まれるときに小切手６の上部が撓んでしまい、仕切り部材１５を上方から覆うように倒れ込まないようにガイドする。これにより、第１および第２収納ポケット１３、１４に送り込まれる小切手６の進入路を確保することができ、倒れこんだ小切手６と第１あるいは第２収納ポケット１３、１４に収納された小切手６とが衝突してジャミング状態に陥ることを回避できる。
【００３３】
（小切手収納部の仕様変更）
図４はポケットカバーの斜視図、図５は小切手処理装置（１ポケット仕様）の斜視図である。本実施形態の小切手処理装置１は、図１に示すように、仕切り部材１５を装着部４０に取り付けた状態では、第１および第２収納ポケット１３、１４の２つの収納ポケットを備える２ポケット仕様となっている。ここで、仕切り部材１５は装着部４０に着脱可能となっているので、仕切り部材１５を外して代わりに図４に示すポケットカバー３５（第２部材）を装着部４０に装着することにより、小切手処理装置１を、収納凹部３０内における第１収納ポケット１３および第１分岐通路１１を除いた部分を全て閉鎖した１ポケット仕様に仕様変更することができる。
【００３４】
図４に示すように、ポケットカバー３５は、第１収納ポケット１３および第１分岐通路１１を規定している左側側面部分３６については、仕切り部材１５とほぼ同一に構成されている。ポケットカバー３５の上面には、上述した仕切り板１６の突出板部分１６ｂおよび水平板部分１６ｃが、仕切り部材１５に取り付けられたときと同一の位置および方向に延びるように取り付けられている。
【００３５】
ポケットカバー３５の右側側面部分３７は左側側面３２に内接する形状とされている。ポケットカバー３５を装着部４０に装着すると、左側側面部分３６の前端縁３６ａが小切手搬送路７の内壁面に接触し、小切手搬送路７の上流側から直線的に連続する第１分岐通路１１および第１収納ポケット１３のみが形成された１ポケット仕様の構成となる。１ポケット仕様では、切換レバー１７による小切手６の振り分けを行わないため、切換レバー１７および切り換え機構１７ａを移動できないように固定した構成としている。
【００３６】
ポケットカバー３５の前端部分の上面には、前端縁３６ａの上端から第１分岐通路１１の下流側に向かうにつれて上側に傾斜するすくい面３８が形成されている。このすくい面３８は、第１分岐通路１１に送り込まれる小切手６の先端が折れ曲がり状態あるいは撓み状態となったときに第１分岐通路１１内に衝突するのを防止すると共に、折れ曲がり状態あるいは撓み状態となった小切手６の先端部分をすくい上げて第１分岐通路１１の上端開口部から上方に延びる状態となるようにガイドすることができる。
【００３７】
ここで、仕切り部材１５およびポケットカバー３５の装着部４０への取り付け構造について説明する。仕切り部材１５の左側側面部分１５ｂおよびポケットカバー３５の左側側面部分３６には、下端側から所定高さ分だけ切り欠いた切り欠き部３６ｂが長手方向に所定の長さにわたって形成されている。そして、各切り欠き部３６ｂのほぼ中央に、下方に向かって伸びる係止爪３９が設けられている。
【００３８】
一方、装着部４０は、切り欠き部３６ｂの形成位置に対応させて収納凹部３０の底面から立ち上がっている。装着部４０における第１収納ポケット１３側の側面には、第１収納ポケット１３内に送り込まれた小切手６を内側側面３１側に押し付けるための垂直押さえ板４１が前後に配置されている。装着部４０に仕切り部材１５あるいはポケットカバー３５を装着すると、切り欠き部３６ｂから第１収納ポケット１３内に、内側側面３１側に向かって旋回可能な垂直押さえ板４１を延ばした状態となる。なお、垂直押さえ板４１は、２ポケット仕様の形態では、第２収納ポケット１４の内壁となる左側側面３２にも同様に取り付けられている。
【００３９】
装着部４０には、係止爪３９の形成位置に対応させて装着開口４２が形成されている。仕切り部材１５あるいはポケットカバー３５を装着部４０に装着するときには、この装着開口４２から係止爪３９が内部に挿入され、装着開口４２の奥に設けられている図示しない係合孔や係合凹部などに、係止爪３９の先端のかぎ状部分が引っ掛かる。これにより、仕切り部材１５あるいはポケットカバー３５が上方に引っ張られても外れないように係止される。
【００４０】
なお、小切手収納部１０の底部あるいは収納凹部３０内などの適宜位置に、係止爪３９と係合孔や係合凹部などとの係合を解除するための係合解除操作部材を設けておけば、この係合解除操作部材を操作して、装着部４０から仕切り部材１５あるいはポケットカバー３５を取り外すこともできる。よって、この場合には、仕切り部材１５あるいはポケットカバー３５の着脱を容易に行うことができる。
【００４１】
以上のように、本実施形態では、小切手６などのシート状媒体を収納するための収納凹部３０内に装着部４０を設け、この装着部４０に仕切り部材１５あるいはポケットカバー３５のうちいずれか一方を選択的に装着可能にしたので、２つの収納ポケットを形成した状態と単一の収納ポケットを形成した状態の各状態を選択的に実現でき、２ポケット仕様と１ポケット仕様への仕様変更が可能である。このように、仕切り部材１５とポケットカバー３５の使い分けによって、１つの小切手処理装置１を２ポケット仕様と１ポケット仕様に使い分け可能としたことにより、ユーザー側は無駄な費用をかけることなく、要望に応じた使い方を実現できるようになる。
【００４２】
また、製造者は、２つの仕様を部分的な構成の変更のみで実現できる。すなわち、仕様変更のために収納凹部３０を規定している中央仕切りケース部分２ｃおよび側ケース部分２ｄの形状を変更する必要がなく、これらのケース部材を２種類準備するために２種類の金型を準備する必要がない。よって、初期投資費用の削減によるコスト削減を図ることができる。また、１ポケット仕様にするときには、閉鎖する第２収納ポケット側に設置される図示しない送り込みローラーや押さえ板などの無駄な部品を省略することができるので、部品点数の削減およびコスト削減、組み立て工数の削減などを図ることができる。このとき、部品を削除した第２収納ポケット１４および第２分岐通路１２をポケットカバー３５によって完全に覆う構成としたので、外観品質が低下しない。更に、仕様変更の際に上ケース２ａを着脱する必要がないので、仕様変更の際に着脱する部品の数が少なく、仕様変更作業を容易に行うことができる。
【符号の説明】
【００４３】
１…小切手処理装置（シート状媒体処理装置）、２…本体ケース、２ａ…下ケース、２ｂ…上ケース、２ｃ…中央仕切りケース部分、２ｄ、２ｅ…側ケース部分、３…垂直軸、４、５…開閉カバー、６…小切手（シート状媒体）、６Ａ…磁気インク文字列、６ａ…表面、６ｂ…裏面、７…小切手搬送路、８…小切手送り出し通路、９…小切手供給部、１０…小切手収納部（シート状媒体収納装置）、１１…第１分岐通路、１２…第２分岐通路、１３…第１収納ポケット、１４…第２収納ポケット、１５…仕切り部材（第１部材）、１５ａ…前端部分、１５ｂ…左側側面部分、１６…仕切り板、１６ａ…嵌め込み板部分、１６ｂ…突出板部分、１６ｃ…水平板部分、１７…切換レバー、１７ａ…切り換え機構、１８…分岐部、１８ａ、１８ｂ…分岐部側ガイド面、１８ｃ…後端面、１８ｄ…分岐部上面、１９…引き出し部、２１…表面側コンタクトイメージスキャナー、２２…裏面側コンタクトイメージスキャナー、２３…磁気ヘッド、２４…印刷機構、３０…収納凹部、３１…内側側面、３２…左側側面、３２ａ…屈曲側面、３３…前側側面、３４…側面、３５…ポケットカバー（第２部材）、３６…左側側面部分、３６ａ…前端縁、３６ｂ…切り欠き部、３７…右側側面部分、３８…すくい面、３９…係止爪、４０…装着部、４１…垂直押さえ板、４２…装着開口、Ａ…分岐位置
【図１】
2010222124.tif 000003
【図２】
2010222124.tif 000004
【図３】
2010222124.tif 000005
【図４】
2010222124.tif 000006
【図５】
2010222124.tif 000007